(57)【要約】【課題】簡易な構造で、利用者の乗降を効果的に促すことのできるエレベーター装置を提供する。【解決手段】乗りかご１の側板１ｃに設けられており、長手方向に沿って発光体４が連続配置された手摺り３と、乗場呼び及び／またはかご呼びに基づく乗りかご１の着床に応じて発光体４を順次点灯させる制御部とを備える。【選択図】図１
2014088222.tif 000002
【特許請求の範囲】
【請求項１】
乗りかご内に手摺りを有するエレベーター装置であって、
前記手摺りに設けられた乗客を誘導するための発光部と、
前記乗りかごの着床に応じて前記発光部の発光を制御する制御部と、を備えた
エレベーター装置。
【請求項２】
前記発光部は、前記手摺りの長手方向に沿って配置された複数の発光体を備えている
請求項１に記載のエレベーター装置。
【請求項３】
前記手摺りの長手方向に沿って分割した区分ごとに前記複数の発光体を配置し、
前記制御部は、乗場呼びに基づく前記乗りかごの着床の場合とかご呼びに基づく前記乗りかごの着床の場合とで、点灯する発光体の区分を異ならせる
請求項２に記載のエレベーター装置。
【請求項４】
前記分割された区分の最上部に配置される発光体は赤色の発光体であり、
前記制御部は、乗場呼びに基づく前記乗りかごの着床の場合にのみ、前記赤色の発光体を点灯させる
請求項２記載のエレベーター装置。
【請求項５】
前記制御部は、乗場呼びに基づく前記乗りかごの着床の場合とかご呼びに基づく前記乗りかごの着床の場合とで、前記発光部の発光量を異ならせる
請求項１記載のエレベーター装置。
【発明の詳細な説明】
【技術分野】
【０００１】
本発明は、乗りかご内に設けた発光体を点灯して利用者の乗降を誘導するエレベーター装置に関する。
【背景技術】
【０００２】
エレベーター装置にあっては、利用者が乗りかごの乗降をスムーズに行えるようにして、運転効率の向上を図ることが望まれる。従来、発光体を点灯して利用者の乗降を誘導するものとして、かご床に発光体を設け、この発光体を利用者の移動方向に沿って順次繰り返し点灯するもの（例えば、特許文献１、２参照）が提案されている。また、かご天井，かご床及び側板のうちの少なくとも１つに発光体を設け、乗りかごが目的階に接近した際に、これらの発光体をかご戸の方向に順次点灯させるもの（例えば、特許文献３参照）が提案されている。
【先行技術文献】
【特許文献】
【０００３】
【特許文献１】特開平０６−２３９５５０号公報
【特許文献２】特開平１１−２１０３９号公報
【特許文献３】特開２０００−２５５９２５号公報
【発明の概要】
【発明が解決しようとする課題】
【０００４】
しかしながら、前述したかご床に発光体が設けられたものでは、乗りかご内に比較的多くの利用者がいる場合、乗降する利用者が発光体の点灯を認識することが難しく、案内効果に乏しいという課題があった。また、かご天井，かご床及び側板に発光体を設けるものでは、専用のかご設計を要し、コストが掛かると共に、既存のエレベーターに適用することが難しいという課題があった。
【０００５】
本発明は、上述の点に鑑み、簡易な構造で、利用者の乗降を効果的に促すことのできるエレベーター装置を提供することを目的とする。
【課題を解決するための手段】
【０００６】
上記課題を解決し、本発明の目的を達成するため、本発明は、乗りかご内に手摺りを有するエレベーター装置であって、手摺りに設けられた乗客を誘導するための発光部と、乗りかごの着床に応じて発光部の発光を制御する制御部と、を備える。
【発明の効果】
【０００７】
本発明によれば、利用者を誘導する発光体を、乗りかご内の手摺りに配置したので、専用のかご設計を要することがなく、装置を安価なものとすることができる共に、既存のエレベーターに容易に適用することができる。
【図面の簡単な説明】
【０００８】
【図１】本発明の実施の形態に係るエレベーター装置の乗りかごの構成を示す正面図である。
【図２】本発明の実施の形態に係るエレベーター装置の乗りかご内の手摺りの構成を示す正面図である。
【図３】本発明の実施の形態に係るエレベーター装置の乗りかご内の手摺りの構成を示す側面断面図である。
【図４】本発明の変形例に係るエレベーター装置の乗りかご内の手摺りの構成を示す側面断面図である。
【図５】本発明の変形例に係るエレベーター装置の乗りかご内の手摺りの形状を示す側面図である。
【発明を実施するための形態】
【０００９】
以下、本発明の実施の形態について図面を参照して説明する。
図１は、本発明の実施の形態に係るエレベーター装置の乗りかごの構成を示す。乗りかご１は、天井１ａ，かご床１ｂ及び側板１ｃによりかご室が形成されている。乗りかご１の出入口には、かご戸２が配置されている。なお、側板１ｃは、かご戸２を囲むように３方向に配置されており、図１では、背面に配置された側板１ｃが省略してある。かご戸２の脇には、操作盤５が配置されている。乗りかご１の片方（操作盤５に近いほう）の側板１ｃには、水平方向に延びた円柱状の手摺り３が設けられている。手摺り３には、その長手方向に沿って発光部としての発光体４が連続して配置されている。
【００１０】
図２及び図３はこの手摺り３の構成を示しており、図２は正面図、図３は側面断面図である。各発光体４は、上下方向に３つの発光体４ａ，４ｂ，４ｃに分割されて扇状に配置されている。最上部の発光体４ａとしては、赤色のＬＥＤ（発光ダイオード）が用いられている。発光体４ｂ，４ｃとしては、赤色以外（例えば緑色）のＬＥＤが用いられている。
【００１１】
図３に示すように、円筒状の木製の手摺り本体３ａに、鋼鉄製のパイプ３ｂが嵌め込まれている。手摺り本体３ａの直径は、約３２ｍｍである。手摺り本体３ａは円の一部が扇状に切り取られた断面形状をしており、この切り取られた部分のパイプ３ｂの表面に発光体４ａ，４ｂ，４ｃが配置されている。また、この切り取られた部分には、透明な円弧状のアクリル板３ｃがカバーとして取り付けられている。なお、図２では、図３の発光体４ａ，４ｂ，４ｃによって発光する領域全体に４ａ，４ｂ，４ｃの符号を付している。
【００１２】
手摺り本体３ａには、中空のアルミダイキャスト製の支持アーム３ｄが取り付けられている。支持アーム３ｄの先端には、中空のボルト３ｅが取り付けられている。ボルト３ｅは、乗りかご１の側板１ｃに設けられた手摺り取付け用の開口部１１に貫通している。乗りかご１の外側で、このボルト３ｅにナット３ｆを締め付けることにより、手摺り３が側板１ｃに固定される。
【００１３】
手摺り本体３ａ，パイプ３ｂにはそれぞれ配線を通すための穴が形成されており、発光体４ａ，４ｂ，４ｃに電力を供給するための配線３ｇがこれらの穴と支持アーム３ｄ及びボルト３ｅの中空部分とを通されている。
【００１４】
エレベーター装置には、乗りかご１の外部に、乗場呼び（各階のエレベーター乗場の呼出し釦の操作）やかご呼び（乗りかご１内の操作盤５の行先階釦の操作）を受け付けて乗りかご１の昇降や停止を制御する制御部が備えられている。この制御部は、乗場呼びやかご呼びに基づく乗りかご１の着床に応じて、手摺り３の発光体４を下記の〔１〕〜〔３〕のように点灯させることにより、利用者の乗降を誘導する。
【００１５】
〔１〕乗場呼びに基づき乗りかご１が目的階に着床すると、制御部は、各発光体４の全ての発光体４ａ，４ｂ，４ｃ（または最上部の赤色の発光体４ａのみ）を乗りかご１の出入口側から奥側に向かって順次点灯させる。
〔２〕かご呼びに基づき乗りかご１が目的階に着床すると、制御部は、各発光体４のうちの発光体４ｂ，４ｃのみを乗りかご１の奥側から出入口側に向かって順次点灯させる。
〔３〕同一階に対して登録された乗場呼び及びかご呼びに基づき乗りかご１が目的階に着床すると、制御部は、各発光体４の全ての発光体４ａ，４ｂ，４ｃを点滅点灯させる。
【００１６】
この実施の形態に係るエレベーター装置によれば、利用者を誘導する発光体４を、乗りかご１内の手摺り３という利用者の視覚に入りやすい高さ位置に配置している。このため、乗りかご１内に比較的多くの利用者がいる場合でも、乗降する利用者が発光体４の点灯を認識し易くなり、効果的な誘導を行うことができる。
【００１７】
また、上記〔１〕，〔２〕のように、乗場呼びの場合は最も目立つ最上部の赤色の発光体４ａを順次点灯させ、かご呼びの場合は発光体４ｂ，４ｃのみを順次点灯させるというように、乗場呼びの場合とかご呼びの場合とで発光体４ａ，４ｂ，４ｃのうちの異なる発光体を順次点灯させるので、乗りかご１内の利用者が予測しにくい乗場呼びに基づく着床に対して、利用者に注意を喚起することもできる。
【００１８】
また、簡易な構造であり、図３に示したように側板に手摺り取付け用の開口部を有する既存の乗りかごに手摺り３を取り付けるだけなので、専用のかご設計を要することがなく、装置を安価なものとすることができる共に、既存のエレベーターに容易に適用することもできる。
【００１９】
〔変形例〕
以上、本発明の実施の形態について説明した。しかし、本発明は、上述の実施の形態に限定されるものではなく、特許請求の範囲に記載した発明の要旨を逸脱しない範囲内で種々の変形実施が可能である。
【００２０】
例えば、上述の実施の形態では、乗場呼びやかご呼びに基づく乗りかご１の着床に応じて手摺り３の発光体４を点灯させる例を説明したが、それに加えて、乗りかご１がエレベーター乗場でかご戸２を開いて待機しているときに、各発光体４の全ての発光体４ａ，４ｂ，４ｃ（または最上部の赤色の発光体４ａのみ）を乗りかご１の出入口側から奥側に向かって順次点灯させて、エレベーター乗場にいる利用者を乗りかご１に誘導してもよい。さらに、乗りかご１内の利用者が定員オーバーになりそうな場合に、各発光体４の全ての発光体４ａ，４ｂ，４ｃ（または最上部の赤色の発光体４ａのみ）を点滅点灯させて、利用者に注意を喚起してもよい。
【００２１】
また、手摺り３を、図４に示すような構成にしてもよい。図４において、図３と共通する部分には同一符号を付して重複説明を省略する。表面に発光体４ａ，４ｂ，４ｃを配置したパイプ３ｂは、図３の手摺り本体３ａと同程度の直径を有する中空の鋼鉄製の手摺り本体３ｈに挿入されている。手摺り本体３ｈには発光体４ａ，４ｂ，４ｃに対応する位置にそれぞれスリットが設けられており、これらのスリットの部分に透明な円弧状のアクリル板３ｉがカバーとして取り付けられている。手摺り本体３ｈにも発光体の配線３ｇを通すための穴が形成されており、また、支持アーム３ｄがこの手摺り本体３ｈに取り付けられている。
【００２２】
また、上述の実施の形態では、操作盤５に近いほうの側板１ｃだけに手摺り３を設ける例を説明したが、両方の側板１ｃに手摺り３を設けてもよく、さらにかご戸２とは反対側の背面板にも手摺り３を設けてもよい。背面板に設けた手摺り３の発光体４については、乗場呼び，かご呼びのうちの一方のみに基づき目的階に着床した際に、点滅点灯させればよい。
【００２３】
また、上述の実施の形態では、円柱状の手摺り３を設ける例を説明したが、図５Ａに示すような断面が楕円形の手摺り６や、図５Ｂ，５Ｃに示すような角柱状の手摺り７，８を設けて、それらの手摺りに発光体４（発光体４ａ，４ｂ，４ｃの全て、または発光体４ａ，４ｂのみ）を配置してもよい。
【００２４】
また、上述の実施の形態では、各発光体４を発光体４ａ，４ｂ，４ｃに分割する例を説明したが、各発光体４を単一のＬＥＤによって構成して、乗場呼びやかご呼びに基づく乗りかご１の着床に応じて発光体４を順次点灯させてもよい。また、各発光体４を単一のＬＥＤによって構成した上で、乗場呼びの場合には連続配置された全ての発光体４を順次点灯させ、かご呼びの場合には一部の発光体４のみを順次点灯させるというように、乗場呼びの場合とかご呼びの場合とで発光体４を異なる光量で順次点灯させてもよい。
【００２５】
さらには、発光体４を順次点灯させずに、発光体４全体の発光量を異ならせることで、利用者に乗場呼びかかご呼びかの別を認識させるようにしてもよい。
【符号の説明】
【００２６】
１…乗りかご、  １ａ…天井、  １ｂ…かご床、  １ｃ…側板、  ２…かご戸、  ３…手摺り、  ３ａ…手摺り本体、  ３ｂ…パイプ、  ３ｃ…アクリル板、  ３ｄ…支持アーム、  ３ｅ…ボルト、  ３ｆ…ナット、  ３ｇ…配線、  ４，４ａ，４ｂ，４ｃ…発光体、  ５…操作盤
【図１】
2014088222.tif 000003
【図２】
2014088222.tif 000004
【図３】
2014088222.tif 000005
【図４】
2014088222.tif 000006
【図５】
2014088222.tif 000007